(57)【要約】【課題】  洗浄がし易く使い勝手がよい茶こし器を提供する。【解決手段】  本発明の茶こし器Ａは、急須Ｋ上部に設けられた給湯開口部Ｋ１に装着されるものであって、複数の通水孔１１が設けられ、茶葉ｂを収容するバスケット状の本体１と、この本体１の開口縁１２から水平外方に張り出すように設けられ、給湯開口部Ｋ１の縁部Ｋ２に着座するフランジ部２とを備え、本体１は、軟質材料で形成されていると共に、フランジ部２に対して反転可能に形成されているものである。【選択図】図１
2011161070.tif 000002
【特許請求の範囲】
【請求項１】
急須上部に設けられた給湯開口部に装着される茶こし器であって、
複数の通水孔が設けられ、茶葉を収容するバスケット状の本体と、
この本体の開口縁から水平外方に張り出すように設けられ、前記給湯開口部の縁部に着座するフランジ部とを備え、
前記本体は、軟質材料で形成されていると共に、前記フランジ部に対して反転可能に形成されていることを特徴とする茶こし器。
【請求項２】
軟質材料は、シリコーンゴムであり、本体およびフランジ部は、前記シリコーンゴムにより一体的に形成されていることを特徴とする請求項１記載の茶こし器。
【請求項３】
本体は、該本体の開口縁において、内方へ向かって突出する摘み部を備えていることを特徴とする請求項１または２記載の茶こし器。
【請求項４】
急須や湯飲み茶碗の上部に設けられた給湯開口部に装着される茶こし器であって、
複数の通水孔が設けられ、茶葉を収容するバスケット状の本体と、
この本体の開口縁に取り付けられ、該本体を前記給湯開口部に係止する略環状の枠体とを備え、
前記本体は、軟質材料で形成されていると共に、前記枠体に対して反転可能に形成されていることを特徴とする茶こし器。
【請求項５】
本体の胴部の内径は、前記本体の開口縁の内径よりも大きいことを特徴とする請求項１〜４のいずれか１項記載の茶こし器。
【請求項６】
複数の通水孔は、第１の通水孔群と第２の通水孔群とにより構成され、
前記第２の通水孔群は、前記第１の通水孔群よりも本体の開口縁側に位置し、
前記第２の通水孔群の各第２の通水孔の開口面積は、前記第１の通水孔群の各第１の通水孔の開口面積よりも大きいことを特徴とする請求項１〜５のいずれか１項記載の茶こし器。
【発明の詳細な説明】
【技術分野】
【０００１】
本発明は、急須等の上部に設けられた給湯開口部に装着される茶こし器に係り、特に、複数の通水孔が設けられ、茶葉を収容するバスケット状の本体と、この本体の開口縁から水平外方に張り出すように設けられ、前記給湯開口部の縁部に着座するフランジ部とを備え、前記本体は、軟質材料で形成されていると共に、前記フランジ部に対して反転可能に形成されているものに関する。
【背景技術】
【０００２】
従来、茶こし器は、金属製や硬質プラスチック製の網材を袋状に形成し、急須等の上部に設けられた給湯開口部に装着されるものが用いられたり、特許文献１の図１および段落番号［０００６］〜［０００７］に記載されているように、陶器製であって、茶・湯入れ口の周縁部に上部フランジが載るようにしてポット本体内に着脱自在に収納される、多数の孔を有する上面開放の有底円筒状のものなどが開示されている。
【先行技術文献】
【特許文献】
【０００３】
【特許文献１】特開平８−２８０５４３号公報
【発明の概要】
【発明が解決しようとする課題】
【０００４】
しかしながら、上述したような茶こし器にあっては、茶葉を収納する部材がいずれも金属製や硬質プラスチック製、陶器製などの硬質材料で形成されているため、茶こし器の洗浄時にあって、茶葉を茶こし器本体から排出したり、通水孔に入り込んで詰まった茶柱などを取り除くのが甚だ面倒であり、使い勝手が良いものではなかった。
【０００５】
本発明は、上述した問題点を解決するためになされたものである。
【課題を解決するための手段】
【０００６】
請求項１に係る発明は、急須上部に設けられた給湯開口部に装着される茶こし器であって、複数の通水孔が設けられ、茶葉を収容するバスケット状の本体と、この本体の開口縁から水平外方に張り出すように設けられ、前記給湯開口部の縁部に着座するフランジ部とを備え、前記本体は、軟質材料で形成されていると共に、前記フランジ部に対して反転可能に形成されている茶こし器である。
【０００７】
請求項２に係る発明は、請求項１記載の茶こし器において、軟質材料は、シリコーンゴムであり、本体およびフランジ部は、前記シリコーンゴムにより一体的に形成されているものである。
【０００８】
請求項３に係る発明は、請求項１または２記載の茶こし器において、本体は、該本体の開口縁において、内方へ向かって突出する摘み部を備えているものである。
【０００９】
請求項４に係る発明は、急須や湯飲み茶碗の上部に設けられた給湯開口部に装着される茶こし器であって、複数の通水孔が設けられ、茶葉を収容するバスケット状の本体と、この本体の開口縁に取り付けられ、該本体を前記給湯開口部に係止する略環状の枠体とを備え、前記本体は、軟質材料で形成されていると共に、前記枠体に対して反転可能に形成されている茶こし器である。
【００１０】
請求項５に係る発明は、請求項１〜４記載の茶こし器において、本体の胴部の内径は、前記本体の開口縁の内径よりも大きいものである。
【００１１】
請求項６に係る発明は、請求項１〜５記載の茶こし器において、複数の通水孔は、第１の通水孔群と第２の通水孔群とにより構成され、前記第２の通水孔群は、前記第１の通水孔群よりも本体の開口縁側に位置し、前記第２の通水孔群の各第２の通水孔の開口面積は、前記第１の通水孔群の各第１の通水孔の開口面積よりも大きいものである。
【発明の効果】
【００１２】
請求項１記載の茶こし器によれば、本体は、軟質材料で形成されていると共に、フランジ部に対して反転可能に形成されているため、茶こし器の洗浄時にあって、通水孔に詰まった茶柱などを、該通水孔を押し広げることにより容易に取り除くことができ、しかも、本体の反転により、使用済みの茶葉を容易に排出することができる。
【００１３】
請求項２記載の発明によれば、請求項１記載の茶こし器の効果に加え、軟質材料は、シリコーンゴムであり、本体およびフランジ部は、前記シリコーンゴムにより一体的に形成されているため、給湯開口部に蓋を載置する急須にあっては、蓋と給湯開口部の縁部との間にシリコーンゴムが介在し、該シリコーンゴムの緩衝作用により蓋が損傷するのを防止することができ、しかも、シリコーンゴムの大きな摩擦力により蓋がずれて急須から滑落するのを防止することができる。
【００１４】
請求項３記載の発明によれば、請求項１または２記載の茶こし器の効果に加え、本体は、該本体の開口縁において、内方へ向かって突出する摘み部を備えているため、該摘み部を摘んで急須から茶こし器を容易に取り外すことができ、使い勝手がよい。
【００１５】
請求項４記載の茶こし器によれば、本体は、軟質材料で形成されていると共に、枠体に対して反転可能に形成されているため、茶こし器の洗浄時にあって、通水孔に詰まった茶柱などを、該通水孔を押し広げることにより容易に取り除くことができ、しかも、本体の反転により、使用済みの茶葉を容易に排出することができる。
【００１６】
請求項５記載の発明によれば、請求項１〜４記載の茶こし器の効果に加え、本体の胴部の内径は、前記本体の開口縁の内径よりも大きいため、投入した茶葉が本体内で拡がり易くなり、お茶の抽出を迅速に行うことができる。
【００１７】
請求項６記載の発明によれば、請求項１〜５記載の茶こし器の効果に加え、複数の通水孔は、第１の通水孔群と第２の通水孔群とにより構成され、前記第２の通水孔群は、前記第１の通水孔群よりも本体の開口縁側に位置し、前記第２の通水孔群の各第２の通水孔の開口面積は、前記第１の通水孔群の各第１の通水孔の開口面積よりも大きいため、茶こし許容速度を超えて急速に急須に給湯する場合にあっても、許容速度を超えた分のお湯を第２の通水孔群を介して急須内に素早く導くことができ、給湯するお湯が本体の開口縁から溢出して急須外に漏出するのを防止することができる。
【図面の簡単な説明】
【００１８】
【図１】本発明の第１の実施例を示した概略的斜視図である。
【図２】図１のものに茶葉を投入した状態を示した概略図であり、図２（ａ）は平面図を、図２（ｂ）は一部を破断して示した正面図である。
【図３】図１の使用状態を示した一部破断概略図である。
【図４】図１の使用状態を示した概略図であり、図４（ａ）および図４（ｂ）は、それぞれ茶こし器の洗浄過程を示している。
【図５】図４のｍ部を拡大して示した概略的断面図であり、図５（ａ）は本体を押し広げる前の図を、図５（ｂ）は本体を押し広げたときの図をそれぞれ示している。
【図６】図１のフランジ部の役割を説明するための概略的断面図であり、図６（ａ）は茶こし器を装着していないときの図を、図６（ｂ）は茶こし器を装着したときの図をそれぞれ示している。
【図７】図１の変形例であり、一部を破断して示した概略的正面図である。
【図８】図７の使用状態を示した概略図である。
【図９】図１の変形例を示した概略的正面図である。
【図１０】図９の使用状態を示した概略図である。
【図１１】本発明の第２の実施例を示した概略的分解斜視図である。
【図１２】図１１の使用状態を示した概略断面図である。
【図１３】図１１の他の使用例を示した概略的分解斜視図である。
【図１４】図１３の使用状態を示した概略断面図である。
【発明を実施するための形態】
【００１９】
本発明の第１の実施例を、図１、図２を参照して説明する。図１、図２において、Ａは茶こし器であり、茶こし器Ａは、急須上部に設けられた給湯開口部に装着されるものであって、その内部に茶葉ｂを投入し、次いでお湯を注入してお茶を濾し出すもので、概略的に、本体１と、フランジ部２とにより構成されている。
【００２０】
本体１は、同図に示したように、複数の通水孔１１、１１、・・・が設けられ、茶葉を収容するバスケット状のものであり、シリコーンゴム、ポリエチレン（ＰＥ）、エチレン酢酸ビニル共重合体（ＥＶＡ）、ポリ塩化ビニル（ＰＶＣ）などの軟質材料で形成されていると共に、後記する図４（ｂ）に示したように、フランジ部２に対して反転可能に形成されている。
【００２１】
複数の通水孔１１、１１、・・・の内径は、茶葉は通過することができないが濾されたお茶は容易に通過できる程度のもので、本体１の側部および底部の略全体に亘って所定の間隔をあけて満遍なく配設されている。
【００２２】
フランジ部２は、本体１の開口縁１２から水平外方に張り出すように設けられ、給湯開口部Ｋ１（図３参照）の縁部Ｋ２（例えば、急須の蓋が着座する水平内方に張り出した部位）に着座するものである。
【００２３】
このフランジ部２は、前述した本体１と一体的に成形されたり、本体１とは別体として設けることができ、本体１およびフランジ部２を一体的に形成する場合にあっては、前述の軟質材料は、シリコーンゴムとするのが好ましい。また、別体として設ける場合にあっては、環状に形成されたステンレス鋼等の金属などの部材の内端に、本体１の開口縁１２を挟着や溶着などにより接合するようにしてもよい。
【００２４】
次に、上述した第１の実施例の茶こし器Ａの使用方法について、図３〜図６を参照して説明する。図３は、茶こし器Ａを急須Ｋ上部に設けられた給湯開口部Ｋ１に装着した状態を図示したもので、すなわち、本体１を急須Ｋ内に挿入し、フランジ部２を急須Ｋの縁部Ｋ２に着座させた状態を示している。
【００２５】
そして、茶こし器Ａ内に茶葉ｂを適量投入し、給湯開口部Ｋ１を介してお湯を茶こし器Ａ内に注ぐと、茶葉ｂから茶の成分が抽出されてお茶ｂ１となり、複数の通水孔１１、１１、・・・を通過してお茶ｂ１のみが急須Ｋ内に濾し出される。
【００２６】
図４は、使用済みの茶葉ｂを廃棄する操作を図示したものであり、図４（ａ）に示したように、茶こし器Ａを引っ繰り返して茶葉ｂを捨て、更に、図４（ｂ）に示したように、茶こし器Ａをフランジ部２に対して反転させ、残った茶葉ｂを茶こし器Ａから取り除くようにしてもよい。
【００２７】
ここで、本体１からの茶葉ｂの除去について説明すると、例えば、図５（ａ）に示したように、通水孔１１内に茶柱などの茶葉ｂが入り込んでしまうような場合、本体１が軟質材料で形成されているため、図５（ｂ）に示したように、本体１を矢印ｄ方向に引っ張って通水孔１１を押し広げることにより入り込んだ茶葉ｂを容易に取り除くことが可能となる。これにより、茶こし器Ａを清浄に保つことができ、次回の使用に備えることができる。
【００２８】
ところで、上述したように本体１とフランジ部２とを一体的に形成する場合、シリコーンゴムを好適に用いたのは、図６（ｂ）に示したように、急須Ｋに蓋Ｆを被せた状態で使用したとき、急須Ｋを傾けても、シリコーンゴムの大きな摩擦力により蓋Ｆがずれて（図６（ａ）参照）急須Ｋから滑落するのを防止するためであり、更に、蓋Ｆを給湯開口部Ｋ１に装着する際に、シリコーンゴムの緩衝作用により蓋Ｆが損傷するのを防止するためである。
【００２９】
ところで、図１、図２に示したように、本体１には、該本体１の開口縁１２において、内方へ向かって突出する摘み部３を備えさせることができる。
【００３０】
また、図７、図８に示したように、本体１の胴部の内径Ｌ２は、本体１の開口縁１２の内径Ｌ１よりも大きく（Ｌ２＞Ｌ１）なるようにしてもよい。
【００３１】
さらに、図９、図１０に示したように、複数の通水孔１１、１１、・・・を、第１の通水孔群１１ａと第２の通水孔群１１ｂとにより構成し、第２の通水孔群１１ｂを、第１の通水孔群１１ａよりも本体１の開口縁１２側に位置させ（より好ましくは、第２の通水孔群１１ｂを、第１の通水孔群１１ａよりも本体１の開口縁１２側であって、開口縁１２近傍に位置させ、）、第２の通水孔群１１ｂの各第２の通水孔１１、１１、・・・の開口面積（Ｓ２）は、第１の通水孔群１１ａの各第１の通水孔１１、１１、・・・の開口面積（Ｓ１）よりも大きく（Ｓ２＞Ｓ１）なるようにしてもよい。
【００３２】
次に、第２の実施例について図１１〜図１４を参照して説明する。図１１〜図１４において、Ａ’は、茶こし器であり、茶こし器Ａ’は、急須や湯飲み茶碗の上部に設けられた給湯開口部Ｋ１に装着されるものである。なお、本体１の構成（材質や形状）は、第１の実施例と同じであるため、詳細な説明は第１の実施例のものを援用する。
【００３３】
図１１、図１２は、茶こし器Ａ’を急須Ｋに用いた例を示しており、図１１において、４は枠体で、枠体４は、本体１の開口縁１２に取り付けられ、該本体１を給湯開口部Ｋ１に係止する略環状の部材であり、例えば、ステンレス鋼等の金属や、硬質プラスチックなどの部材で形成されているもので、図１２に示したように、給湯開口部Ｋ１に係止するための係止部４ａ、４ｂが設けられている。また、この枠体４の係止部４ｂには、手で把持するための取手４１が取り付けられている。なお、枠体４と本体１の開口縁１２とは、カシメや接着、溶着などにより接合したり、接合せずに着脱自在に支承するような構成にしてもよい。本体１は、枠体４に対して反転可能に形成されている。
【００３４】
ところで、第２の実施例に係る茶こし器Ａ’の使用方法については、第１の実施例と同じであるため、詳細な説明は第１の実施例のものを援用する。
【００３５】
また、本実施例にあっても、第１の実施例と同様に、本体１の胴部の内径は、本体１の開口縁１２の内径よりも大きくするようにしてもよく、さらに、複数の通水孔１１、１１、・・・を、第１の通水孔群１１ａと第２の通水孔群１１ｂとにより構成し、第２の通水孔群１１ｂを、第１の通水孔群１１ａよりも本体１の開口縁１２側に位置させ（より好ましくは、第２の通水孔群１１ｂを、第１の通水孔群１１ａよりも本体１の開口縁１２側であって、開口縁１２近傍に位置させ、）、第２の通水孔群１１ｂの各第２の通水孔１１、１１、・・・の開口面積は、第１の通水孔群１１ａの各第１の通水孔１１、１１、・・・の開口面積よりも大きくなるようにしてもよい。
【００３６】
図１３、図１４は、茶こし器Ａ’を湯飲み茶碗Ｋ’に用いた例を示しており、茶こし器Ａ’の構成および使用方法は、図１１、図１２のものと同じであるため、その詳細な説明は省略する。
【００３７】
以上、本発明の第１および第２の実施例について説明したが、本発明は、これらの実施例に限定されるものではなく、本発明の趣旨を逸脱しない範囲で種々変更できるものである。
【符号の説明】
【００３８】
Ａ、Ａ’  茶こし器
Ｋ        急須
Ｋ’      湯飲み茶碗
Ｋ１、Ｋ１’  給湯開口部
ｂ        茶葉
１        本体
１１      通水孔
１１ａ    第１の通水孔群
１１ｂ    第２の通水孔群
２        フランジ部
３        摘み部
４        枠体
【図１】
2011161070.tif 000003
【図２】
2011161070.tif 000004
【図３】
2011161070.tif 000005
【図４】
2011161070.tif 000006
【図５】
2011161070.tif 000007
【図６】
2011161070.tif 000008
【図７】
2011161070.tif 000009
【図８】
2011161070.tif 000010
【図９】
2011161070.tif 000011
【図１０】
2011161070.tif 000012
【図１１】
2011161070.tif 000013
【図１２】
2011161070.tif 000014
【図１３】
2011161070.tif 000015
【図１４】
2011161070.tif 000016